(57)【要約】本発明は、換気された空気中、及び、暖房または空調装置中において、空気感染病原体を中和するための方法およびその装置に関するものである。この病原体中和システムは、広範囲の病原体に対して効果的である。このシステムには、市販の構成分子が組み込まれている。また、このシステムを、化学的な試薬を用いずにリアルタイムで大量の空気を通すことによって、空気感染病原体を中和する商業的なＨＶＡＣシステムに簡単に組み込むことができる。この病原体中和システムは、広い波長範囲のＵＶの短く強い閃光を発するＵＶ源と、水蒸気または噴霧の供給部と、オゾン発生器とを含んだ流入反応室を備えている。このシステムは、水滴または水蒸気の存在下にＵＶ光をオゾンガスに照射することにより、非常に反応性の高いオゾン中間生成物を生成する。このシステムによって中和される病原体は、バクテリア、ウイルス、胞子、菌類、および、寄生虫を含んでいる。【特許請求の範囲】
【請求項１】
病原体中和システムにおいて、
上記病原体中和システムは、流入反応室を含み、
上記流入反応室は、殺菌される必要のある空気を受け入れるための、上記流入反応室の第１端部に位置する室空気注入口と、殺菌された空気を放出するための、上記流入反応室の第２端部に位置する室空気放出口とを備え、該室空気注入口と室空気放出口との間に、殺菌される必要のある空気が上記流入反応室を通過するための通路を規定し、
上記流入反応室が、さらに、
ａ．オゾン発生器と、
ｂ．水供給線と、
ｃ．紫外線源とを含んでいる、病原体中和システム。
【請求項２】
病原体中和システムにおいて、
ａ．流入反応室であって、殺菌される必要のある空気を受け入れるための上記流入反応室の第１端部に位置する室空気注入口と、殺菌された空気を放出するための上記流入反応室の第２端部に位置する室空気放出口とを備え、該室空気注入口と室空気放出口との間に、殺菌される必要のある空気が上記流入反応室を通過するための通路を規定している、流入反応室と、
ｂ．反応室に配置された紫外線源と、
ｃ．オゾン発生器と、
ｄ．貯水槽と、
ｅ．上記貯水槽とオゾン発生器とに接続された、オゾンと水との混合物を生成するための混合室と、
ｆ．上記混合室から流入反応室に、水とオゾンとの混合物を送り込むための経路を含んでいる病原体中和システム。
【請求項３】
さらに多孔性マトリックスを含んだ、請求項１または２に記載の病原体中和システム。
【請求項４】
水供給線が、反応室に吹きかけるように水を噴霧するためのノズルに接続されている、請求項１に記載の病原体中和システム。
【請求項５】
上記経路が、反応室に吹きかけるように水を噴霧するためのノズルに接続されている、請求項２に記載の病原体中和システム。
【請求項６】
水滴が、霧のようなものとして、ノズルを介して反応室に噴霧される、請求項４または５に記載の病原体中和システム。
【請求項７】
上記多孔性マトリックスは金属発泡剤である、請求項３に記載の病原体中和システム。
【請求項８】
上記金属が、アルミニウム、銅、銀、および、それらの酸化物からなる群より選択される、請求項７に記載の病原体中和システム。
【請求項９】
上記金属発泡剤はアルミニウム発泡剤である、請求項７に記載の病原体中和システム。
【請求項１０】
さらに、１つまたは複数のオゾン除去触媒によって被膜された固定支持部を含んだ、請求項１または２に記載の病原体中和システム。
【請求項１１】
さらに、流入反応室中に配置されたマイクロ波発生器を含んだ、請求項１または２に記載の病原体中和システム。
【請求項１２】
さらに、流入反応室中に配置された超音波発生器を含んだ、請求項１または２に記載の病原体中和システム。
【請求項１３】
上記多孔性マトリックスを取り外し可能な、請求項３に記載の病原体中和システム。
【請求項１４】
上記固定支持部を取り外し可能な、請求項９に記載の病原体中和システム。
【請求項１５】
上記オゾン発生器を取り外し可能な、請求項１または２に記載の病原体中和システム。
【請求項１６】
センサーおよび制御装置によって自動化されている、請求項１または２に記載の病原体中和システム。
【請求項１７】
さらに、炭素フィルターを含んでいる、請求項１または２に記載の病原体中和システム。
【請求項１８】
上記紫外線源が非常に強いＵＶを発する、請求項１または２に記載の病原体中和システム。
【請求項１９】
上記紫外線源が、波長が約１００ｎｍから約３５０ｎｍのＵＶを発する、請求項１または２に記載の病原体中和システム。
【請求項２０】
上記流入反応室中のオゾン量が、約０．０１ｐｐｍから約１０００ｐｐｍのレベルで維持されている、請求項１または２に記載の病原体中和システム。
【請求項２１】
上記流入反応室中のオゾン量が、約０．１ｐｐｍから約１０ｐｐｍのレベルで維持されている、請求項１または２に記載の病原体中和システム。
【請求項２２】
上記中和システムが、継続モードで駆動するように形成されている、請求項１または２に記載の病原体中和システム。
【請求項２３】
上記中和システムが、要求に応じて活性化されるように形成されている、請求項１または２に記載の病原体中和システム。
【請求項２４】
上記オゾン除去触媒がアルミニウムだけからなる（all-aluminum)触媒である、請求項９に記載の病原体中和システム。
【請求項２５】
上記オゾン発生器はコロナ放電発生器である、請求項１または２に記載の病原体中和システム。
【請求項２６】
換気された空気中の（in ventilated air）空気感染病原体の中和方法において、
ａ．流入反応室に、殺菌される必要のある空気を送り込むステップと、
ｂ．上記流入反応室に、水を送り込むステップと、
ｃ．上記流入反応室に、オゾンを送り込むステップと、
ｄ．殺菌される必要のある空気中に存在する全ての病原体を中和するために、上記流入反応室中の殺菌される必要のある空気と、水と、オゾンとの混合物に、紫外線を照射することにより、殺菌された空気を生成するステップと、
ｅ．上記照射ステップの後、上記流入反応室の外に殺菌された空気を出すステップとを含んだ空気感染病原体の中和方法。
【請求項２７】
換気された空気中の空気感染病原体の中和方法において、
ａ．殺菌される必要のある空気を流入反応室に送り込むステップと、
ｂ．水とオゾンとの第１混合物を反応室に送り込むステップと、
ｃ．上記第１混合物、および、殺菌される必要のある空気を含んだ第２混合物を形成するステップと、
ｄ．上記第２混合物中に存在する全ての病原体を中和するために、上記第２混合物を紫外線によって照射することにより、殺菌された空気を生成するステップと、
ｅ．照射ステップの後、殺菌された空気を反応室の外に出すステップとを含んだ、空気感染病原体の中和方法。
【請求項２８】
上記水が水蒸気または水滴の形状をしている、請求項２９または３０に記載の方法。
【請求項２９】
上記紫外線は非常に強い紫外線である、請求項１または２に記載の方法。
【請求項３０】
さらに送風機を含んだ、請求項１または２に記載の中和システム。
【請求項３１】
上記水を反応室に送り込む前に、１つまたは複数の界面活性剤を水に加える、請求項２９または３０に記載の方法。
【発明の詳細な説明】
【０００１】
〔関連出願の相互参照〕
本出願は、先に出願された同時係属中のＵＳ仮出願番号６０／３２７,１９２（２００１年１０月４日出願）の利益を請求する。この仮出願は、参照によりここに含まれる。
【０００２】
〔発明の背景〕
＜１．発明の属する分野＞
本発明は、商業的なＨＶＡＣ空気搬送システム（air handling systems）における、広範囲の空気感染病原体（胞子、バクテリア、および、ウイルス）を中和または破壊する（destroy）ための、新しく、安全で、効果的な方法に関するものである。
【０００３】
＜２．先行技術の記載＞
民間施設および軍事施設を化学的攻撃または生物学的攻撃から保護するために、迅速で、効果的で、安全な（毒性がなく腐食性のない）病原体中和技術の開発が、重要である。これらの施設内の、屋根つき球場、地下鉄、および、囲われた施設（極度な機密事項を扱う設備を含んでいる可能性のある、建物および司令部）の病原体を中和することが重要である。この試み次第で、ＵＳ軍事活動の計画および遂行における生物兵器の脅威を除去できるかどうかが決まる。規制のない生物兵器の使用を（from unleashing biological weapons）敵対者に止めさせることができる防御がない間、非常に強い多量の病原体を防御し、防衛手段によって抑止することにより、特定の軍事作戦に用いられる生物兵器による被害は、低減されるだろう。
【０００４】
さらに、病院での空気搬送システムから、空気感染病原体を除去することも、急務である。病院では、院内で呼吸器への感染が伝染することに、公衆衛生の主な関心が集まっており、それに対する技術的な代案は限られている。建物内で呼吸器疾患が流行しているという証拠、および、その流行が特に換気装置によるものであるという証拠が、疫学データに存在している。ブドウ球菌（スタヒロコッカス、Staphylococcus）（最も一般的で致命的な、長期入院と関係がある感染のうちの１つ）に感染した患者の危険は、重大である。
【０００５】
これらの目的を達成するために、広範囲の病原体（胞子、バクテリア、および、ウイルス）がＨＶＡＣシステムを介して移動するとき、空気中のこれらの病原体をリアルタイムで（in real time）破壊でき、空気搬送システムに汚染を持ち込まない病原体中和技術が、必要である。空気感染生物病原体の中和システムは、解決の非常に難しい問題である。なぜなら、多くの病原体が、表面を殺菌するために今までは主に有効であった伝統的な中和方法に対して強い抵抗性を有しているからである。したがって、強力な中和へのアプローチが必要である。
【０００６】
オゾンは、水中および表面の非常に効果的な殺菌剤である。しかし、空気中の病原体を中和する殺菌剤としてのオゾンの使用については、まだ実証されていない。オゾンは、バクテリアおよびウイルスの破壊に用いられる、２番目に強力な酸化剤であり滅菌剤である（フッ素が最も強力な酸化剤）。オゾンが水中のウイルスおよびバクテリアを不活性化する限界濃度は低い。
【０００７】
オゾンガスは、バクテリアおよびウイルスの汚染の制御に非常に効果的である。このオゾンガスは、ヨーロッパでは、１８００年代以来、飲用水および再生水の浄化に非常にうまく安全に用いられてきた。オゾンガスは、発がん性であることが示されてきた塩素や臭素と急速に取って代わりつつある。しかし、今日まで、空気感染病原体の殺菌にオゾンを使用する商業的なＨＶＡＣシステムは開発されていない。
【０００８】
また、有毒化学物質の副産物の問題を考慮して、塩素処理に代わる他の殺菌剤として、紫外線（ＵＶ）が再浮上している。ＵＶ照射処理は、その必ずしも標的微生物を殺さない作用形態において、独特である。その代わりに、ＵＶ照射は、病原体のＤＮＡに損傷を与えることにより、この病原体を再生できないようにする。水感染の病原体を中和する効果的な方法として、水中のオゾン通気（ozone bubbling through it）とそれに続くＵＶ照射による水の処理が、示されている（ＵＳ特許出願番号４,１５６,６５２,６５２、ＵＳ特許出願番号４,１７９,６１６、ＵＳ特許出願番号４,２０４、ＵＳ特許出願番号４,２３０,５７１）。しかし、これら全てのシステムが、病原体を破壊する水中溶存オゾンの分解に依存している。ＵＶの存在下でオゾンと水との相互作用によって形成されたオゾン中間遊離基（ozone intermediate free radicals）は、微生物の内部に入り込んで酵素およびタンパク質のような重要な成分を酸化する前にも（even before）、細胞壁の酸化剤として機能する。
【０００９】
ＵＶが照射されていない場合、オゾン自体が水とも空気とも十分に反応しないということが、報告されている。水および空気は、媒体を供給するだけである。この媒体中には、細胞壁中で、病原体の外側に位置するような有機分子と反応するために、オゾンが拡散する。ＵＶの照射によって、オゾンは、水と反応し、水酸ラジカルのような、非常に活性の高い、非常に短命な様々な遊離基に分解する。殆どの病原体の中和の原因となるのは、病原体と遊離基との相互作用（interaction）であり、病原体とオゾン自体との相互作用ではないということが、理論上および経験的な証拠によって示されている。ＮＩＳＴ報告「光開始（Photoinitiated）オゾン・水反応」（J. Res.『ＮＩＳＴ』９７号、４９９ページ、１９９２年）
今のところ、生物兵器を用いたテロリストの攻撃から市民を守るか、または、病院内の空気を殺菌するために、大量の汚染空気中の空気感染病原体をリアルタイムで殺菌または中和する効果的な方法は存在しない。本発明は、このような、空気感染病原体を中和するための装置および方法を提示する。
【００１０】
〔発明の概要〕
本発明は、空気感染病原体となるバクテリア、胞子、および、ウイルスに対して効果のある、換気された大量の空気中の空気感染病原体を、リアルタイムで中和するための装置および方法を提示する。この技術は、非常に反応性の高いオゾン中間生成物の形成に基づいている。これらの中間生成物は、汚染された部屋の空気が送り込まれる流入反応室（flow-through rection chamber）内で、紫外線の存在下、オゾンが水蒸気と反応すると生成する。非常に活性の高い遊離基オゾン中間生成物は、空気中の病原体と反応して病原体を中和する。これによって、空気が殺菌される。本発明の病原体中和システムを、商業的および住居のＨＶＡＣ空気搬送システムに簡単に使用することができる。このシステムは、市販の構成分子（components）を使用する。
【００１１】
１つの実施形態では、病原体中和システムは、病原体に汚染された空気を受け入れるための反応室の第１端部に位置する室空気注入口（chamber air inlet）と、病原体が中和された空気を放出するための反応室の第２端部に位置する室空気放出口（chamber air outlet）とを有する流入反応室を備えている。この室空気注入口と室空気放出口との間には、流入反応室を通って空気が流れるための通路がある。流入反応室の内部に存在する構成分子は、オゾン発生器、水供給線、および、紫外線源である。また、他の実施形態では、オゾン発生器は、流入反応室の外側に位置している。水供給線を、中和システムを内蔵する建物の中に位置する外部貯水槽に接続することができる。他の実施形態では、外部貯水槽と外部オゾン発生器とに接続された、外部混合室がある。この外部オゾン発生器は、室内に配置されたノズルを介して、室に霧として送り込まれたオゾンと水との混合物を生成するためのものである。また、１つの実施形態では、多孔性のマトリックスが、金属発泡剤（metal foam）から形成されている。病原体中和システムは、さらに、１つまたは複数のオゾン除去触媒によって被膜された固定支持部（solid support）を含んでいてもよい。
【００１２】
〔図面の簡単な説明〕
本発明を、例示的に、限定せずに、添付図面を用いて示す。また、本発明では、同様の部材には、同じ参照符号をつけている。
【００１３】
図１は、流入反応室１００の内部にオゾン発生器１０３を配置した、ＵＶ／オゾン病原体中和システムの１実施形態を示すブロック図である。
【００１４】
図２は、このシステムの外側にオゾン発生器２０３および貯水槽２０４を備えた、ＵＶ／オゾン病原体中和システムの１実施形態を示すブロック図である。
【００１５】
図３は、空気感染病原体を破壊する反応通路を示す図である。
【００１６】
図４は、密度６−８％、１０ＰＰＩ（４ａ）、２０ＰＰＩ（４ｂ）、および、４０ＰＰＩ（４ｃ）を有するＤＵＣＯＣＥＬＲ（登録商標）アルミニウム金属発泡剤の試料（samples）の写真を示している。
【００１７】
図５Ａ−Ｈは、過剰に多い空気感染の栄養型のErwinia herbicolaバクテリアを中和するための中和システムの能力を試験するために設計された実験装置中の流入反応室を流入・流出する空気に触れた、プレート（plate）の写真を示している。矢印の地点で３０分間記録し始め、時計と反対方向に回転させる。
【００１８】
図６Ａ−Ｈは、過剰に多い空気感染のBacillus globigii胞子を中和するための中和システムの能力を試験するために設計された実験装置中の流入反応室を流入・流出する空気に触れる、寒天プレートの写真を示している。矢印の地点で３０分間記録し始め、時計と反対方向に回転させる。
【００１９】
〔詳細な説明〕
換気された空気中、及び汚染されている可能性のある空気を空気ダクト（air ducts）を通して循環させる暖房又は空調装置において、空気感染病原体を中和するための方法および装置について記載する。以下では、説明用に、本発明を完全に理解するために多数の具体的な詳細について記載する。しかし、当業者は、本発明をこれらの具体的な詳細がなくても明らかに実施できるだろう。他の例では、本発明を不必要にあいまいにすることを避けるために、よく知られた構造および装置をブロック図の形状で示す。
【００２０】
今まで、空気感染病原体を中和するための知られたシステムは存在しなかった。さらに、テロリストからの攻撃に対して、または、病原体に感染した建物において実用的かつ有効であるために、このシステムが、汚染された空気をリアルタイムで殺菌できる必要がある。本発明は、空気搬送システムを介して建物または他の囲われたものに流入・流出する換気された大量の空気中の広範囲の空気感染病原体をリアルタイムで中和する、効果的で簡単な病原体中和システムに関するものである。本発明の実施形態は、化学試薬を必要とせず、市販の構成分子を組み込んでいる。そして、これらの本発明の実施形態を、商業的ＨＶＡＣシステムに簡単に組み込むことができる。
【００２１】
病原体中和システムの実施形態およびそれに関連した方法（related methods）の基礎には、流入反応室（以下では「反応室」）内の水滴または水蒸気の存在下において、強度の高い広い波長範囲のＵＶによってオゾンガスを照射することにより、非常に反応性の高いオゾン中間生成物を生成することがある。病原体の中和には、短命の遊離基がオゾンまたはＵＶ単独よりもより効果的であるということが、報告されている。これらの遊離基は、広範囲の空気感染病原体を破壊すると考えられている。これらの非常に反応性の高い種の化学構造（chemical formation）（括弧によって囲まれた記号によって示している）を、図３下方の囲まれた部分の式３１３によって示す。本来殺菌性（anti-microbial activity）を有するオゾンガスおよび紫外線も、反応室に存在しており、これらも病原体の中和に寄与する。
【００２２】
最も基本的な形状をしたこの中和システムは、病原体によって汚染されている可能性のある空気を受け入れるための室空気注入口と、空気感染病原体を中和した後の空気（以下「病原体が中和された空気」）を放出するための室空気放出口１０９とを備えた反応室１００を備えている。病原体が中和された空気とは、病原体がもはや再生したり感染を引き起こしたりできないように、病原体が中和され、不活性化し、突然変異を起こし、または、殺されている空気のことである。このシステムによって中和される病原体には、バクテリア,ウイルス,胞子、菌類、および、寄生虫が含まれている。この中和システムは、さらに、貯水槽から反応室へつながる水供給線と、オゾン発生器１０３とを備えている。また、病原体の中和が生じうる付加的な表面を供給する多孔性マトリックス１０７と、オゾン除去触媒によって被膜された固定支持部１０８とを、中和システムに加えることができる。いくつかの実施形態（以下で詳述する）では、オゾンガスおよび水を、反応室に吹きつける前に、混合室＊＊において混合する。図２。
【００２３】
約１００〜３５０ｎｍの広い波長範囲の紫外線が、オゾンと水との反応を引き起こし、空気感染病原体と次に反応して中和する非常に反応性の高いオゾン遊離基中間生成物を形成する。１実施形態では、他の固定（solid）多孔性マトリックスを、オゾン中間生成物と病原体とが反応できる表面を増やすために、および、病原体の中和を容易にするために反応室中の滞留時間を増やすために、反応室内のシステムの中に配置する。
【００２４】
水に溶けたオゾンの微生物に対する破壊作用（destructive action）は、特に、Escherichia coli (E. Coli)、Cryptospondium、Poliovirus、および、(Giardia murisおよびGiardia lambliaを含んだ)Giardiaシスト（cyst）に関して、知られている。E. KatzenelsonおよびH. I. Shuval、「オゾンによる水の殺菌に関する研究：ウイルスおよびバクテリア（Studies on the disinfection of water by ozone: viruses and bacteria）」（『水および汚水処理用の、オゾンに関する第１国際シンポジウム（First International Symposium on Ozone for Water & Wastewater Treatment）』（１巻『Rice, R. G., and Browning, M. E. 』、Hampson Press出版社、ワシントン D. C.  １９７３年））。W. T. Broadwater、R. C. HoehnおよびP. H. King「オゾンに対する選択された３つの細菌性種の感度（Sensitivity of three selected bacterial species to ozone）」（『Appl. Microb. 』２６巻、３９１−３９３ページ、１９７３年）。湿気のある環境では、オゾンは、水蒸気と反応して、一時的な中間分解生成物（temporary intermediate breakdown products）を形成する。この生成物は、微生物内に浸入していくつかの重要な構成分子（例えば酵素、タンパク質など）を酸化する前に、細胞壁の構成分子に働く（on）酸化剤として機能する。大部分の膜防壁（membrane barrier）が破壊されたとき、細胞は、溶解し（ばらばらになる）、結果としてただちに破壊される。幾分同様に、ウイルスおよび胞子も破壊される。E. coli中和の限界が、０．１ｐｐｍ〜０．２ｐｐｍのオゾンであることが、報告されている。
【００２５】
表面での病原体の中和に関する研究については、水蒸気の存在下でオゾンガスがペトリ皿の表面において培養されたE. coliおよびStaphylococcus aureusバクテリアを中和することが、示されている。しかし、この実験は、オゾン濃度が３００〜１５００ｐｐｍで存在していた閉鎖系において行われ、露光時間は所要時間中の（in duration)１０〜４８０秒であった。固い（solid）表面に位置する病原体のみが、中和された。つまり、これらの条件は、室内や建物内に空気感染病原体が放出されるという生物戦のような状況を想定していない。さらに、病原体の中和は、リアルタイムでは行われず、少量のよどんだ空気を含んだ室で行われ、オゾン濃度は非常に高かった。J. Kowalski、W. P. BahnflethおよびT. S. Whittam「Escherichia coliおよびStaphylococcus aureusに関する高い空気感染オゾン濃度の殺菌効果（Bactericidal Effects of High Airborne Ozone Concentrations on Escherichia coli and Staphylococcus aureus）」（ 『Ozone Science & Engineering』２０巻２０５〜２２１ページ、１９９８年）。著者は、オゾンの毒性を増すために、システムにＵＶを加えることを提案しているが、これを試みていない。また、このシステムに用いられた極度に高いオゾンレベルおよび長い滞留時間では、病原体によって汚染された空気をリアルタイムで殺菌することができない。
【００２６】
本発明の中和システム（以下、「中和システム」）は、移動している汚染された大量の空気中の空気感染病原体をリアルタイムで中和できる。このような方法および装置は、以前には報告されていなかった。本発明の中和システムからＨＶＡＣシステムに放出されるオゾンの量は、周囲の状況に合った（environmentally acceptable）オゾン量に合わせて減らすことができる。さらに、このシステムは、試薬を用いない化学プロセスに依存しているので、独立型のシステムであってもよい。汚染された空気が中和システムに入る前に、中和システムの上流に位置するＨＥＰＡフィルターが、空気に運ばれた微粒子のほぼ９９．９７％を除去することになる。さらに、ＨＥＰＡフィルターには、循環している空気中での中和が特に難しいことが知られている胞子の除去という、重要な用途がある。しかし、ＨＥＰＡフィルターは、ウイルスを捕獲しない。また、活性炭素フィルターも、粒状物質を除去し、病原体中和システムの上流または下流に配置された場合に有効である。この病原体中和システムは、前から存在している有効性の高い微粒子空気（ＨＥＰＡ）フィルターと活性炭素フィルターとの間に配置されている。
【００２７】
ＵＶオゾン病原体中和システムの利点を以下に示す。
上流に位置するＨＥＰＡフィルターを空気が通過した後、この中和システムを設置する場合のように、他の空気病原体中和技術とともに、この中和システムを設置できる。
この中和システムは、電気によって、活性化され、駆動される。
この中和システムの主な構成分子は、市販のものを利用できる。
この中和システムには、試薬を用いず、化学薬品（chemicals）で代替する必要もない。オゾンは、酸素源としての建物内の空気から発生する。また、水は、建物の低圧供給部（supply）から供給できる。
このプロセスの安定した副産物は、酸素および水である。この非常に反応性の高い遊離基中間生成物は、短命であり、中和システムから外に出る（exit)オゾンは低量である。。
この中和システムには、最低限の維持（a minimum of maintenance）のみが必要である。
パルスＵＶは、オゾンを中和システムに供給するために用いられるオゾン発生器と協働させ、またはオゾン発生器と独立させて、作動させることができる。
市販の湿度、粒子の採取、オゾン、および、ＵＶのセンサーを用いることにより、この中和システムをマイクロプロセッサで制御し、連続的に平衡な状態とすることが可能となる。
他の実施形態は、中和システム中に、中和システムを横切って有益な低圧滴を生成する開孔金属発泡剤支持部（open-pore metal foam support）を含んでいる。この中和システムは、その中で、オゾンの濃縮したもの（concentrations）、および、非常に活性の高いオゾンの遊離基中間生成物の濃縮したもの（concentrations）が、拡散し、空気感染病原体と反応する媒体を供給する。
本発明は、病原体を中和するための３つのアプローチ（オゾン殺菌、ＵＶ殺菌、および、遊離基オゾン中間生成物による殺菌）を混合したものである。
オゾン発生器と水を再利用する携帯用の循環している貯水槽とを含んだ中和システムを、形成できる。また、中和システムを様々なサイズに形成できることにより、このシステムを、車、戦車（tanks）、航空機などに適合できる。
【００２８】
中和システムに関する全ての実施形態には、病原体によって汚染された空気を受け入れる室空気注入口１０２と、病原体が中和された空気を放出するための室空気放出口１０９とを有する流入反応室１０１が備えられている。反応室を空気が移動する通路である、室空気注入口と室空気放出口との間の隙間が、規定される。反応室は、常に、強度の高い広い波長範囲のＵＶを発する、１つまたは複数のＵＶ源１０６を含んでいる。図１に示した実施形態では、反応室は、さらに、オゾン発生器１０３とノズル１０５を有する水供給線１０４とを含んでいる。このオゾン発生器は、反応室内にオゾンガスを放出するものである。また、この水供給線は、最後に、反応室に噴霧したり水蒸気や湿度の高い空気を送り込むためのものである。また、いくつかの実施形態では、反応室の内側を、ＵＶ反射被膜剤によって覆うか、または、反応室をＵＶを反射する物質で形成する。また、いくつかの実施形態では、金属発泡剤のような任意の多孔性マトリックス１０７が、オゾンガスおよびオゾン遊離基が病原体と反応する付加的な表面を供給するために、反応室に配置されている。１つの実施形態では、この多孔性マトリックスは、中和システムから出た全ての空気が金属発泡剤マトリックスを確実に通過するための反応室空気放出口１０９を、覆っている。また、大量の空気を浄化する場合には、多孔性マトリックスが推奨される。さらに、中和には、１つまたは複数のオゾン除去触媒によって覆われた他の固定支持部１０８が含まれていてもよい。また、この中和システムは、オゾン、湿度、温度、および／または、紫外線レベルを監視するためのセンサーを備えていてもよい。また、１つの実施形態では、中和システムは、完全に自動化されている。
【００２９】
いくつかの実施形態では、反応室は、１つよりも多い室空気注入口および室空気放出口を備えるように、設計されている。これにより、いくつかのダクトが集中する箇所に中和システムを設置できる。同様に、反応室の室空気放出口は、１つより多くてもよい。他の実施形態では、中和システムは、完全に独立して駆動している（self-contained）。完全に独立したこのシステムでは、オゾン発生器および貯水槽は、反応室内に配置されている。貯水槽は、水供給線に接続されている。したがって、中和システムを、移動でき、軍用戦車のような車両の中での使用に適したサイズに縮小できる。
【００３０】
中和システムの別の実施形態を図２に示す。この図では、水およびオゾンを混合室２１２の中で混合している。つまり、オゾンと水との混合物を、噴霧ノズル１０５を介して反応室に送り込む。前もって混合された水とオゾンガスとの混合物を、ノズル２０５を介して反応室に噴霧する。水を、水・オゾン供給線２１２に接続された貯水槽２０４から供給する。オゾン発生器２０３は、オゾン経路２０３ａを介して経路開口部２１２ａにおいて水・オゾン供給線２１２に接続されている。このオゾン発生器、貯水槽、および、水・オゾン混合室を、室の外側または内側に配置できる。
【００３１】
図２の中和システムには、オゾンガスおよびオゾン遊離基が病原体と反応する他の表面を供給する金属発泡剤によって形成された他の多孔性マトリックス２０７が、含まれている。図２に示した実施形態では、中和システムは、さらに、１つまたは複数のオゾン除去触媒によって被膜された他の固定支持部２０８を含んでいる。いくつかの実施形態では、この固定支持部２０８は、室空気放出口２０９に直接接しているか、この放出口の近傍、および多孔性マトリックス２０７の下流に配置されている。中和システムに固定支持部を加えることにより、比較的多いオゾンを安全に使用することができる。中和システムから放出された空気中のオゾンレベルを、有害なレベルのオゾンが放出されるのを防止するために、センサーによって監視できる。
【００３２】
中和システムは、広範囲の大気温度（ambient temperatures）で駆動できる。この大気温度には、例えば、空調設備によって冷却されたり冬には暖められた空気や、乾燥していて暑かったり、非常に冷たかったりする砂漠の空気が含まれる。また、いくつかの実施形態では、反応室の外側または反応室の壁の中に配置できる加熱コイルを設置することにより反応室を暖める。同様に、反応室を、知られている全ての技術（例えば、中和システムから熱を奪う、冷却塔または冷却コイル）を用いて冷却できる。
【００３３】
＜オゾンおよび水蒸気を流入反応室に送り込む＞
コロナ放電発生器を含む任意のオゾン発生器を、本発明で使用してもよい。オゾンは、ＵＶを使用して生成できるが、この方法は、現在のところ非効率的で信頼できないものであり、供給費がかさむ。しかし、ＵＶまたは他の方法使用してオゾンを生成する技術が進歩すれば、それを現在の中和システムと組み合わせることができる。電気コロナ放電発生器は、多量のオゾンを迅速に生成する。高電圧の交流電気放電を、酸素を含む大気流（environmental air stram）を通して通過させることにより、分子状の酸素を、原子状の酸素に分解する。酸素のいくつかの原子、すなわち、遊離した原子は、オゾンに改質する。一方、その他の原子は、単に再結合してもとの酸素を形成する。放電を制御し、「コロナ」または無音放電を維持しても、アーク放電の発生を回避するため、ガラスまたはセラミックなどの誘電性材料を使用して、誘電性スペースまたは放電間隙（discharge gap）を形成する。一般的に、電気オゾン発生器は、２４０ボルト、５０ＨｚのＡＣ電源によって電力供給されている。市販のオゾン発生器には、様々な寸法のものがあり、オゾンを生成するための様々な機能が備えられている。
【００３４】
オゾンは、自然環境中では、一般的に、約０．０２ｐｐｍ（１００万分の１；parts per million）発生している。しかし、オゾンは、０．１０ｐｐｍに濃縮したものとして見出すこともできる。このレベルでは、オゾンは、動物や人間に害を与えることなく、病原体を防止する。よりいっそう高いレベルのオゾンに長期間さらされていると、不快感や頭痛をきたし、咳が出る。これは、この空間を離れてより良好な空気を探すように、という人間への警告である。ＯＳＨＡは、１日合計８時間、週５日にわたって連続的にさらされても安全な許容可能なレベルの残留オゾンは、０．１ｐｐｍであると規定している。オゾンが発生器によって生成され、反応室へ送り込まれるとすぐに、オゾンは安定な酸素に分解し始めるか、または、強度の高い広い波長範囲のＵＶの存在下で水と反応して、非常に活性が高く短命の中間生成物を形成する。オゾンの最大半減期は、約３０分である。しかし、実際には、半減期は、通常はもっと短い。なぜなら、空気中の汚染物質と相互作用を起こしたり、壁や絨毯などの表面に接触したりするからである。認可されたレベルの４倍から５倍のレベルのオゾンに短期間さらされていても、副作用はない。なぜなら、オゾン自体が、酸素に迅速に分解するからである。本中和システムを、持続モード、または、断続モードで操作してもよい。強度の高いＵＶ源およびオゾン発生器は、一般的に、協働するように操作されているが、独立して操作してもよい。
【００３５】
＜広い波長範囲のＵＶ源を反応室に設置する＞
広い波長範囲のＵＶを、本中和システムでは、主にオゾンを水（蒸気または水滴）と反応させて非常に活性高い遊離基中間生成物を生成するために使用する。次には、この遊離基中間生成物は、病原体と反応し、病原体を破壊する。しかし、ＵＶ放射は、いくつかの病原体に対して本質的に有毒であり、病原体のＤＮＡに、放射線損傷を引き起こす。その結果、病原体のＤＮＡは再生不能になる。高レベルのＵＶ放射は、大抵の微生物（バクテリア、菌類の胞子、ウイルス、原虫、線虫の卵および藻を含む）に対して致命的なものであると考えられている。大抵の病原体を殺すか、または、中和するものとして知られているＵＶの波長範囲は、可視光のすぐ下の１００〜４００ナノメートルである。しかし、ＵＶ中和システムは、空気感染病原体に照射するよりも、表面を照射するほうが効果的である。
【００３６】
病原体バクテリアは、最も中和しやすい病原体であり、ウイルスおよび胞子は、より抵抗力がある。Bacillus種の胞子は、厚いタンパク被膜（coat)を備えている。厚いタンパク被膜は、電子密度の高い（electron-dense）外部被膜層(outer coat layer)と、薄板状の（lamella-like）内部被膜層(inner coat layer)とからなる。この被膜のせいで、病原体のＤＮＡに対するＵＶ照射の効果が低減する。
【００３７】
本病原体中和システムで使用するために適しているのは、白熱灯、石英灯または水銀灯である。ＵＶは、持続したものでもよいし、パルス（pulsed）でもよく、強度の高いＵＶが好ましい。明滅するＵＶでは、各高出力明滅またはパルスが、数億分の１秒だけ続く。一般的に、ＵＶの明滅の持続期間は、約１〜１００万分の１秒間であり、明滅の周波数は、１秒間に１〜１０回である。ＵＶの明滅は、約１００〜４００ｎｍの範囲であり、一般的には、２５０〜３５０ｎｍである。ＵＶの持続期間、波長および強度を、様々な病原体に対する効果が最適になるように、調整できる。明滅周波数は、実験によって決定された毎秒１〜１０００とは異なるものでもよい。
【００３８】
＜反応室へ多孔性マトリックスを付加して、滅菌率を上げ、滅菌量を増加させる＞
多孔性マトリックスを反応室内に配置することにより、表面積が増大する。オゾン中間生成物分解産物は、この表面に接触し、微小溶媒のある環境で（in a micro-solvent environment）、空気感染病原体と反応する。この溶媒は、病原体上で（on）液化した水である。実施例で使用した多孔性マトリックスは、孔径４０ＰＰＩ（１平方インチ毎の孔；pores per square inch）、濃度８％のＤＵＣＯＣＥＬＲ（登録商標）アルミニウム金属発泡剤である。ＤＵＣＯＣＥＬＲ（登録商標）マトリックスにより、表面積が大きく増加する。この表面で、オゾン中間生成物と病原体とが、あまり低圧降下を引き起こすことなく、相互作用する。このことは、気流を著しく妨害しない。いくつかの実施形態では、多孔性マトリックスを、取り外しでき、再使用できる。多孔性マトリックスの体積および密度を、中和システムを通る汚染空気の体積、および、室空気放出口の寸法に応じて変更してもよい。
【００３９】
中和システムからの気流を遮断せず、または、非常に活性の高いオゾン中間生成物の形成を抑制せずに、表面積を増大させる任意の固定多孔性マトリックスを使用してもよい。いくつかの実施形態では、抗バクテリア作用のある金属発泡剤（銅や銀など）を使用する。プラスチック、ポリマー、粒子球体、繊維（threads)、および／または、セラミックからなる多孔性マトリックスも使用できる。
【００４０】
いくつかの実施形態では、多孔性マトリックスが、１つ以上の不揮発性抗バクテリア、抗ウイルス、および、抗胞子作用物質によって被膜されている。これら作用物質は、高反応性オゾン中間生成物の形成を抑制することなく、病原体中和度を上げる。このことは、病原体が非常に中和しにくい場合に、特に有利である。所定の実験は、どの添加剤が最も効果的かを確定する。どの添加剤が最も効果的かは、病原体によって異なる。非常に大きな体積の空気が、ＵＶ／オゾン中和システムを通って移動するとき、実施例で行われているように、１つ以上の送風機を設置してもよい。
【００４１】
＜ＵＶ／オゾン病原体中和システムで、空気感染バクテリア、胞子およびウイルスを中和する＞
実施例は、中和システムが、試験した全ての空気感染病原体を中和するときに効果的であることを示している。なお、試験した全ての空気感染病原体は、栄養型の空気感染バクテリア（Erwinia herbicola−実施例2）、ウイルス（バクテリオファージＭＳ２ウイルス）および（Bacillus globigii胞子−実施例3）である。実施例２（バクテリア）および実施例３（胞子）では、ニューブランズウィック科学微生物空気試料採取装置シリーズ（New Brunswick Scientific Microbiological Air Sampler Series）ＳＴＡ-２０４（スリット試料採取装置）を使用して、入ってくる空気の試料を中和システムに入る直前に採取し、出て行った空気の試料をシステムから出た直後に採取した。このスリット試料採取装置の機能は、知られている全体積の空気を、スリット開口部を通して吸引して引き出すことである。スリットのいたるところで生じる圧力低下が、空気を、その混入した汚染物質と共に、より高速に加速する。空気感染病原体汚染物質は、質量がより重いので、回転し、時間が計られている回転テーブルに置かれた無菌ペトリ皿の表面に衝突する。スリットのちょうど下側に位置している寒天培養基の表面の小さな領域だけが、汚染空気にさらされる。従って、皿の回転に伴って、寒天培養基の異なる部分がさらされる。Erwinia herbicolaおよびBacillus globigii実験用に、３０分の試料採取時間を選択した。また、バクテリオファージＭＳ２実験（ウイルス）用には１０分以下の試料注出時間を選択した。試料採取装置を、実験の期間とペトリ皿が完全に１回転する時間とが等しいように設定する。試料採取時間が経過したら、他の空気試料を採取しない。粒子拡散ガイド（particle distribution guide）を、汚染が生じる時点を予測するために使用してもよい。ガイドは、マイラーディスク（Mylar disk）である。このディスクは、線で３０個の部分に分割されている。線は、ほぼ中央から、外部縁部付近のマーカー円周（marker circle）へ広がっている。ペトリ皿の底には線で印付けされている。これは、０時点における皿の位置を示すためである。これにより、粒子ガイドと整列しやすくなる。
【００４２】
実施例では、入ってくる空気を持続的に採取した試料は、システム空気注入口のプレートに衝突する。また、出て行く空気の試料は、各実験のときにシステム空気放出口のプレートに衝突する。第１実験では、水、オゾンおよびＵＶをＯＦＦ状態にしたシステムを通った通常の室内空気は、病原体汚染されていない（図５Ａ−Ｂおよび図６Ａ−Ｂ）。このことは、中和システムが、清潔であり、室内空気に含まれる病原体は、検出できないレベルであることを示す。写真にある円は、気泡であり、病原体コロニー形成単位（ＣＦＵ）ではない。
【００４３】
実施例２では、過剰な量のErwinia herbicolaバクテリアを、全てのシステムをＯＦＦ状態にした（水、オゾン発生器、および、ＵＶをＯＦＦ状態にした）反応室に送り込んだ。予想通り、システム注入口とシステム放出口との双方のプレートが、数え切れないＣＦＵを有するバクテリアで覆われていた（図５ｃおよび図５ｄ）。このことは、噴霧器が、かなり過剰なバクテリアを反応室へ送り込み、出て行く空気が、汚染されたままであることを示している。他の実験では、空気感染バクテリアを、水のみで（水オン、オゾンオフ、ＵＶオフ）室空気注入口へ送り込んだ。この実験は、システム注入口および放出口の双方のプレートが、ＣＦＵが数え切れないほどのバクテリアによって覆われているという結果になった。図５ＥおよびＦ。最後の実験では、中和システムの全てを起動した（水、オゾン、および、ＵＶをＯＮ状態にした）。この場合、システム注入口のプレートは、予想通り、ＣＦＵが数え切れないほどのバクテリアによって覆われていた。しかし、システム放出口のプレートには、ＣＦＵが全く無かった。この結果は、中和システムへ故意に送り込み、リアルタイムで中和システムに通した全てのバクテリアが中和されていることを示す。従って、たとえ定温器内が理想的な条件下であっても、システム空気放出口のプレートには何も成長しない。図５ｇおよび図５ｈ。このことは、中和システムが、全ての栄養型空気感染バクテリア（Erwinia herbicola−実施例２）を効果的に中和したか、または、殺したことを示す。
【００４４】
実施例３では、空気感染Bacillus globigii胞子を中和するためのシステムの性能を試験した。胞子は、栄養型バクテリアよりも殺すのが難しい。予想通り、胞子汚染空気を、全てのシステムをＯＦＦ状態にした（水、オゾン、および、ＵＶをＯＦＦ状態にして、送風機のみをＯＮ状態にした）作動していない中和システムに通したとき、システム注入口とシステム放出口との双方のペトリプレートは、バクテリアによって覆われていた（図６Ｃおよび図６Ｄ）。第３実験では、空気感染Bacillus globigii胞子を、送風機と水だけをＯＮ状態にして（オゾンおよびＵＶをＯＦＦ状態にして）、入ってくる空気に送り込んだ。同じく、システム注入口とシステム放出口との双方のペトリプレートは、バクテリアで覆われていた。
【００４５】
第３実験では、空気感染Bacillus globigii胞子を、全ての中和システムをＯＮ状態にして（オゾン発生器、紫外線、および、水蒸気をＯＮ状態にして）、入って来る空気に送り込んだ。システム注入口のプレートは、予想通り、バクテリアによって覆われていた（図６Ｅ）。しかし、システム放出口のプレート（図６Ｆ）は、システム注入口と比較して、約１〜２けた高い（1-2 orders of magnitude)中和を示した。システム放出口のプレートには、１区画（sector）につき約１５個のＣＦＵしかなかった。中和システムは、全ての入ってくる空気感染Bacillus globigii胞子を中和しないが、反応室に故意に送り込んだ胞子のレベルは、非常に高い。従って、リアルタイムで得られた胞子中和レベルは、技術的に重要な進歩である。反応室に入る前に室内空気を濾過するためにＨＥＰＡフィルターを室空気注入口に設置して、空気感染病原体の約９７％を、中和システムに入る前に捕獲する。このように、危険性の高い領域では、入ってくる空気が、現在の中和システムに入る前に、ＨＥＰＡフィルターを使用したほうがよい。
【００４６】
バクテリオファージＭＳ２ウイルスは、寒天培養基で成長しないので、実施例４で説明するように、入ってくる汚染空気と出て行く殺菌された空気とのウイルスレベルを測定するために、間接測定法を設定した。ウイルスの試料を採取するため、入ってくる空気と出て行く空気とを、水に通気させ、ＡＧＩ−３０試料管を使用して、１０分間の実験中に持続的に採取する。バクテリオファージＭＳ２は、E. Coliに対して攻撃的であり、細胞を溶解し殺す。入ってくる汚染された空気と、出て行く病原体中和され、殺菌された空気とに含まれるバクテリオファージＭＳ２の量を測定するため、滅菌したプレートにＡＧＩ−３０管で採取した試料を塗抹する。プレートは、E. Coli宿主生物で覆われ、培養された。ＭＳ２は、E. Coliバクテリアを殺す。プレートを、溶菌班（lytic plaques）、または、一面に密集したバクテリア（confluent lawns of bacteria）の存在を探すことにより分析した。溶菌班は、空気試料にあるＭＳ２の存在と相関している。E. Coliの溶解は、プレートを直接目で見て観察する必要がある。なぜなら、写真では、溶菌班を正確に数えられないからである。通常の室内空気を中和システムに通すと、システム注入口とシステム放出口との双方のプレートに、溶菌による溶菌斑形成の兆候なく、E. Coliが一面に密集して成長した。
【００４７】
高レベルのバクテリオファージＭＳ２を、中和システムをＯＦＦ状態にしたシステムに通すと、システム注入口とシステム放出口との双方のプレートには、はっきりとした溶菌斑の形状で容易に分かる溶菌が、一面に密集したE. Coliに起こっていた。これらの結果は、ウイルスが試験室内の吸着効果または乾燥効果のせいで失われることなく、効果的にシステムを通過したことを示している。最後の実験では、バクテリオファージＭＳ２を、中和システムがＯＮ状態になっている（水、オゾン発生器、および、ＵＶがＯＮ状態になっている）中和システムに通す。予想通り、システム注入口のプレートに、一面にある透明な溶菌斑の形状で容易に分かる溶菌活動を示す、一面に密集したE. Coli宿主生物（host organism）が付いていた。溶菌斑は、抵抗力のあるE. Coli寄主細胞が成長しているので、ぼんやりとしたものである。しかし、それにもかかわらず、溶菌斑は、入ってくる空気にバクテリオファージＭＳ２が含まれていることをはっきりと示すものである。しかし、システム放出口のプレートには、溶菌活動の兆候のない一面に密集したE. Coli寄主が付いている。このことは、試験室に送り込んだＭＳ２の１００％が、不活性化／中和されたことを示している。
【００４８】
この結果は、強度の高い広い波長範囲のの存在下でオゾンを水と反応させることによって非常に活性の高い遊離基を生成する本発明の中和システムが、ＭＳ２バクテリオファージおよびErwinia herbicolaバクテリアを中和するときに１００％効果的であることを示している。Bacillus globigii胞子（炭疽菌の類似物（simulant)）を中和するには、完全に効果的なわけではないが、本中和システムは、少なくとも約１〜２けた効果的に殺菌する。
【００４９】
＜オゾン除去触媒によって被膜されている固定支持部が、オゾンの流出を防止する＞
固定支持部は、技術的に知られている１つ以上のオゾン除去触媒によって被膜されていてもよい。この固定支持部を、反応室に設置してもよい。これは、オゾンが、閉鎖された空間に蓄積するのを防止するため、または、オゾンが、出て行く空気が放出される空間に入り込むの防止するためである。一実施形態では、固定支持部は、取り外し可能であり、触媒を使用してしまってから取り替えてもよい。他の実施形態では、固定支持部自体を、再使用できる。また、病原体中和システムに再び送り込む前に、固定支持部自体に、新鮮なオゾン除去触媒を再注入してもよい。様々な実施形態で使用できるオゾン除去触媒は、アルミニウムだけからなる（all-aluminum）触媒、炭素担持（carbon-supported）金属酸化物触媒、塩化銅被膜された炭素繊維、炭素−鉄アエロゾル粒子アルミニウム（carbon-iron aerosol particles aluninum)、および金属触媒を含んでいる。（Rodberg他『オゾン分解触媒（Ozone-destruction catalysts）』１９９１年）。カールス化学会社（Carus Chemical Company）製のCARULITER（登録商標）（無機酸化物）は、別のオゾン除去触媒である。任意の固定支持部特に、オゾン分解を触媒できる物質であるガラスまたはシリカを使用してもよい。
【００５０】
不安定な非常に活性の高いオゾン遊離基中間生成物は、周囲の環境へ戻して放出できる水蒸気および酸素を含む安定した最終生成物を形成する。安定した酸素へのオゾンの分解は、分解プロセス用の基板として機能する表面によって加速される。反応室にあるいくらかのオゾンも、広い波長範囲のＵＶによって、非常に反応性があり非常に速く分解する短命な遊離基に変換される。
【００５１】
病原体中和を最適化するために、システムに送り込む水のｐＨを調節してもよい。所定の実験により、様々な病原体に対して最適なｐＨを確定する。任意の病原体の中和度を、酸性ｐＨによって上げることができる。一方、水を、酢酸によって処理してもよい。これは、水を中和システムへ噴霧する前に、所望のｐＨを得るためである。あるいは、有利な場合には、基本ｐＨを得ることもできる。
【００５２】
本発明は、空調および暖房システムを通って循環する空気に含まれる、空気感染病原体を中和する方法も提供する。上記空調および暖房システムは、循環する空気を動かして導く１つ以上のダクトを備えている。この中和システムを、既存の暖房または空調のダクトに設置してもよい。このためには、中和システム反応室を設置するために、既存のダクトの一部を取り外し、反応室を、既存のダクトと、室空気注入口および放出口で接続することを伴う。病原体中和システムを設置した結果、病原体汚染空気は、空気注入口を通して既存のダクトから反応室へ送られ、病原体中和された空気が、空気放出口を通って中和システムから出ていく。空気放出口は、病原体中和された空気を、再循環のための既存のダクトへ再送するものである。中和システムに入り中和システムを通る全ての汚染空気を測定するために、室空気注入口と放出口は、既存のダクトに一致するように、技術的に知られている方法によって調整されている。その結果、空気がシステムを迂回してしまわないようになっている。一実施形態では、室空気注入口／放出口が、端部（flange）を、反応室の壁と端部（flange）との間の空気漏れを防ぐためのゴム製Ｏリングとともに、用いて既存の建物の空気ダクトに一致するように調整されている。
【００５３】
本発明の中和システムを用いて病原体を中和するための方法のステップを、以下の特定の順番で説明する。しかし、他の実施形態では、ステップを、異なる順番で、または、時には繰り返して行ってもよい。換気された空気に含まれる空気感染病原体を中和する方法は、以下のステップを含む：
ａ．病原体によって汚染された循環空気を、流入反応室へ方向付ける。
ｂ．水蒸気または水滴を反応室に送り込む。
ｃ．オゾンを反応室に送り込む。
ｄ．病原体汚染空気、水蒸気または水滴、および、オゾンに、汚染空気にある病原体を中和するため、紫外線を照射し、その結果、病原体中和された空気を生成する。
ｅ．照射ステップの後、病原体中和された空気を反応室の外へ送り出す。
【００５４】
この方法を、水蒸気（湿気を含む空気）または水滴を送り込むステップと、オゾンを送り込むステップとを、反応室に送り込む前に水蒸気、水滴およびオゾンの混合物を形成することによって実行できるように変更してもよい。
【００５５】
換気された空気に病原体中和システムを設置する方法は、以下のステップを含む：
ａ．構造にある既存の空気ダクトに開口部を切り開き、ＵＶ／オゾン中和システムの設備を取り付けるために、その一部を取り外す。
ｂ．システムの室空気注入口と室空気放出口とを、病原体汚染空気が、室空気注入口を通って反応室へ吹き込まれ、病原体のない殺菌された空気が、室空気放出口を通ってシステムから出て行くように、既存のダクトに密着するよう接触させて既存のダクトに中和システムを設置する。
ｃ．オゾン、水、および、紫外線が、ここに説明するように反応室に供給されるように中和システムをオンにする。
ｄ．汚染空気を、室空気放出口を通して既存のダクトから反応室へ送る。
ｅ．非常に活性の高いオゾン遊離基中間生成物、オゾンガスおよび紫外線を、反応室内の汚染空気に含まれる分散された空気感染病原体と反応させ、病原菌を中和する。
ｆ．病原体のない殺菌された空気を、室空気放出口をとおして反応室から送り出す
ある状況では、ＨＥＰＡフィルターを、室空気注入口の上流に設置することが望ましいこともある。これは、全ての空気に運ばれる粒子的物体の９９．９７％を、空気が中和システムに入る前に取り除くためである。ＨＥＰＡフィルターの設置により、中和システムの効率が上がることもある。ＨＥＰＡフィルターは、空気感染バクテリアを効果的に除去するが、ウイルスや胞子を除去しない。活性炭フィルターを、空気に運ばれる粒子的物体を除去するために使用してもよい。
【００５６】
＜界面活性剤、ｐＨ、超音波、マイクロ波を使用して、病原体中和度を上げる＞
空気感染病原体（特に、胞子）に対するオゾンの効果を高めるために、毒性のない界面活性剤（石鹸分子）を、予め水と混合し、いくつかの実施形態では、反応室に噴霧しておいてもよい。界面活性剤は、オゾンとオゾン遊離基と病原体との間の接触時間を延長する。その結果、界面活性剤は、病原体を中和しやすくすると考えられている。技術的に知られている１つ以上の非中毒性の界面活性剤を使用してもよい。
【００５７】
胞子または他の病原体を保護している被膜（coating)を、破壊または破砕する任意の手段は、非常に活性の高い遊離基オゾン中間生成物、遊離オゾンおよびＵＶを、病原体と相互反応させることによって、本ＵＶ／オゾン中和システムによる病原体中和度を上げる。胞子がオゾンの影響を受けやすくなるように、マイクロ波および／または超音波によって、胞子被膜の破壊を助長する。プラズマＤＣ光放電は、それ自体が、医療器具のための効果的な滅菌方法であると証明されている。プラズマＤＣ光放電を用いる基本的な滅菌は、１６０〜２４０ｎｍの範囲の強度の高いＵＶ放射である。従って、他の実施形態では、ＵＶ／オゾン中和システムは、さらに、プラズマＤＣ光負電ＵＶ管、マイクロ波発生器、および／または、超音波発生器を備えている。あるいは、マイクロ波照射手段、プラズマＤＣ光放電手段、および／または、超音波生成手段を、室空気注入口の近くの上流に配置することによって、病原体中和システムで殺菌する汚染空気をシステムに供給する前に処理してもよい。
【００５８】
本発明のさらに他の実施形態では、オゾン、水および汚染空気を、反応室に噴霧する前に、ヴォルテックス混合器（vortex mixer）で一緒に混合する。全ての３つの成分を、別々の線で混合器に送り込んでもよい。または、水とオゾンとを予め混合してから、入ってくる汚染空気混合物と混合するヴォルテックス混合器に送り込んでもよい。
【００５９】
＜ＵＶ／オゾン病原体中和システムで、空気感染Erwinia herbicolaバクテリアおよびバクテリアウイルスＭＳ２（天然痘などのウイルスの類似物）をリアルタイムで完全に中和する＞
以下の実施例は、高レベルの栄養細胞であるバクテリアErwinia herbicolaまたはバクテリアウイルスＭＳ２（天然痘などのウイルスの類似物―実施例4）のどちらかによって汚染されている空気が、全て起動されている中和システムへ送り込まれ、リアルタイムで通り抜ける場合、病原体が完全に中和されることを示している。図２に記載の中和システムを、オゾン除去触媒２０８を有する固定支持部が備えられていない点以外は同じように、全ての実験に使用した。
【００６０】
胞子は、外部保護被膜が厚いので、最も中和しにくい病原体である。実施例３の結果は、非常に高レベルのBacillus globigii（１３Ｇ）胞子（炭疽熱の類似物）を、全てが起動している中和システムにリアルタイムで通した場合、約１〜２けた高い中和率が初期試験で得られたことを示している。この率は、所定の実験で使用するオゾンレベル、水の量、および、金属多孔性マトリックスの厚さを調整することによって最適化できる。
【００６１】
本中和方法は、オゾンに、強度の高い広い波長範囲のＵＶを、水蒸気または水滴の存在下で照射したときに生じる予期していなかった相乗効果に基づくものである。従って、中和システムと、空気感染病原体を中和する関連方法は、病原体を攻撃し、中和するための３つの方法を提供する。３つの方法とは、すなわち、１．オゾンによる方法、２．紫外線による方法、および、３．非常に活性の高い短命オゾン遊離基中間生成物による方法である。本発明の中和システムは、空気感染広範囲の病原体（バクテリア、ウイルス、および、胞子を含む）を中和する非常に効果的な手段を提供する。
【００６２】
上記の説明では、本発明を、その特定の実施形態を参考して説明してきた。しかし、本発明の範囲と精神とに反することなく、本発明に様々な補正と変更を行えることは明らかである。本発明を、以下の限定的ではない例を参考にしながら、さらに詳しく説明する。
【実施例】
【００６３】
〔実施例１〕
Ａ．中和システム
この実験に用いられる中和システムは、オゾン除去触媒を有する固定支持部２０８は含まれないこと以外は、図２に示すものである。さらに、このシステムは、それを通過する空気の吸い込みを助長する送風機をも含んだシステムである。この送風機を、全ての実験において作動した。Del Industries株式会社によって製造されたＣＤ−５  ＧＥＮＥＳＩＳＴＭコロナ放電オゾン発生器は、図２に示したように、反応室の外側に配置されており、その最大出力は５ｇ／ｈｒである。オゾン発生器２０３およびオゾン経路２０３ａの下流には、貯水槽２０４がある。この貯水槽は、水の流れを水・オゾン経路２１２に放出するものである。水の流れが水・オゾン経路を介して流れると、この水の流れは、オゾン経路開口部２１２ａにおいて、オゾン発生器２０３を出た（exiting）オゾンガスをオゾン経路２０３ａを介して水・オゾン経路２１２に吸い込むのを助ける真空地帯を、形成する。ＵＶ源（２０６は、２つのBio AireＵＶ型BUV 24DE Double Ended Fixturesからなる）。光の質（brand）は重要ではないが、より強いＵＶが好ましい。極度に強い新たなパルスＵＶ源を、利用でき、本発明において用いてもよい。反応室の寸法は、縦４５インチ×高さ２１インチ×直径２３インチである。空気注入口２０２および空気放出口２０９の寸法は、市販の曲がりやすいダクトに密着するような寸法である。このダクトに、空気注入口２０２および空気放出口２０９は、端部または環（collar）およびゴム製の密封装置によって接続されている。この接続は、空気漏れを防止し、空気ダクトから出た全ての空気がＵＶ・オゾン中和システムを通過することを保障する。
【００６４】
多孔性の金属発泡剤２０７マトリックスを、濃度８％、４０ＰＰＩのＤＵＣＯＣＥＬＲ（登録商標）アルミニウム金属発泡剤から形成した。数枚の発泡剤を、切断され、堆積が長さ３．５インチで高さおよび厚さ２インチになるまで堆積する。このマトリックスを、板を制限することにより所定位置に備え、室空気放出口２０９のすぐ前に、それを覆うように設置する。これにより、全ての空気は、中和システムを出る前にマトリックスを通過してシステムに入る。
【００６５】
部屋の空気は、室空気注入口を介して中和システムに入る。反応室を出た殺菌された空気の湿度は、約５５〜６５パーセントとさまざまであり、温度は室温である。オゾン発生器およびＵＶ源は、実験の間中、ともに駆動し、中和システムは、実験中に送風機によって連続モードで駆動している。
【００６６】
Ｂ．空気感染病原体を中和システムに送り込む
実施例２−４の各実験では、微生物を、ＭＩＣＲＯ  ＭＩＳＴＴＭネブライザー（「噴霧器」）を用いて反応室に送り込む。Erwinia herbicola、Bacillus globigii胞子、および、バクテリオファージＭ２を、これらの細胞密度が約５．３×１０（９）ＣＦＵ／ｍｌに達するまで、すべて、従来技術でよく知られた標準技術を用いて実験室において培養する。
【００６７】
Ｃ．空気の流入および流出の試料の採取
実施例２（バクテリア）および３（胞子）に関して、ニューブルンスヴィック科学微生物学空気試料採集装置シリーズ（New Brunswick Scientific Microbiological Air Sampler Series）ＳＴＡ−２０４（スリット試料採取装置（slit sampler））を、中和システムに入る直前に空気の流入、および、このシステムから出た直後の空気の流出の試料の採取に使用した。このスリット試料採取装置は、真空によって細長い孔（slit）の開口部を介して既知の（known）全空気を吸い込むことにより、駆動する。細長い孔を横切って生じる圧力が低下すると、混入汚染物質を有する空気が加速される。空気感染質量がより重い病原体汚染物質は、指定時刻に作動する（timed）回転している回転盤に沿って配置された無菌寒天培養基ペトリ皿の表面に衝突する。細長い孔のすぐ下に位置する寒天培養基の表面のわずかな領域のみに、空気試料が触れる。ペトリ皿が回転すると、寒天培養基の異なる領域が現れる。この実験時間（試料採取時間（sample time））は、Erwinia herbicolaおよびBacillus globigiiの実験の場合、３０分であり、バクテリオファージＭＳ２実験（ウイルス）の場合は１０分であった。この空気試料採取装置を、実験時間中にペトリ皿が１度完全に回転するように設定した。試料採取時間が実験の終了時に経過すると、もはや、空気試料は試料採取装置を通過して吸い込まれていない。また、汚染が生じる時を推定するために、粒子分布誘導装置を用いることができる。この誘導装置は、中央近傍から外部エッジ近傍の標識のついた（marker）領域に広げられた線によって３０区分（therty segments）に分割されたマイラー盤（Mylar disk）のことである。循環する空気（汚染された空気または部屋の空気）が試料採取された寒天ペトリ皿の底には、粒子誘導装置の位置を正確に調整するために、時間が０の時の寒天培養基ペトリ皿の位置を示す線を用いて印を付ける。
【００６８】
各３０分の実験が終了したら、プレートを検査した後で、寒天培養基皿を覆い、定温器に２４時間の間おく（take to）。バクテリアのコロニー形成単位（ＣＦＵ）を数える。図５および図６では、矢印が、時間が０の時に時記録を開始することを示している。また、全てのプレートを、実験中に時計と反対方向に回転させた。全ての実験では、流入および流出する空気の試料は、実験中は継続して採取される（taken continuously throughout）。
【００６９】
〔実施例２：ＵＶ・オゾン病原体中和システムは、空気感染大量のエルウィニア族（Erwinia)の栄養細胞を完全に除去した〕
この中和システムを、図１に示したように設置する。様々な実験を、空気感染Erwinia herbicolaバクテリアを中和するためのシステムの性能を評価するために計画する。全ての実験では、空気は、３０分間、システムを通過する。この間、システム送風機は常にＯＮ状態である。これらの実験の信頼性については、大量の空気感染の栄養細胞であるErwinia herbicolaバクテリア（約５．３×１０９ＣＦＵ／ｍｌ）を、空気注入口を介して反応室に入る空気に挿入する。これについては、ＭＩＣＲＯ  ＭＩＳＴＴＭネブライザーを用いた実施例１Ｂに記載している。（Erwinia herbicolaを用いて、またはそれを用いずに）流入する空気を、空気注入口を介して中和システムに入る直前に連続して試料採取し、流出した空気を、実施例１に示したように、システムから出たばかりのときに試料採取する。
【００７０】
図５Ａ−Ｈでは、システム注入口のプレート（皿）およびシステム放出口のプレート（皿）を、それぞれ空気の流入および流出に連続してさらし、３０分の実験中に、Erwinia herbicolaの存在について分析する。第１実験（図５Ａ（注入口のプレート）および図５Ｂ（放出口のプレート））では、全ての病原体を送り込まずに、中和システムをＯＦＦ状態に（送風機のみに）することにより、部屋の空気を反応室を通るように循環させる。図５Ｃおよび図５Ｄでは、再び中和システムをＯＦＦ状態にして（送風機のみにする）、Erwiniaの濃度を上げて、流入する空気を故意に感染させる。図５Ｅ（注入口のプレート）および図５Ｆ（放出口のプレート）では、反応室に噴霧する間に、Erwinia herbicolaの濃度を上げて、流入する空気を故意に感染させる。つまり、オゾン発生器および中和システムの紫外線をＯＦＦ状態にする（水および送風機のみにする）。図５Ｇ（注入口のプレート）および図５Ｈ（放出口のプレート）では、中和システムを完全に駆動してErwinia herbicolaの濃度を上げて、流入する空気を故意に感染させる。つまり、オゾン発生器をＯＮ状態に、紫外線をＯＮ状態に、中和システムの水供給をＯＮ状態にする。
【００７１】
＜コントロール−バクテリアを用いず、送風機を除いて、全てのシステムをＯＦＦ状態にして制御する＞
制御している時に、（全てのバクテリアをネブライザーを介して故意に送り込む前に）、中和システムの全要素をＯＦＦ状態にして（水をＯＦＦ状態に、オゾン発生器をＯＦＦ状態に、ＵＶをＯＦＦ状態にして）、中和システムを介して部屋の空気を引き出す。流入する空気にさらされたシステム注入口のプレート、および、流出する空気にさらされたシステム放出口のプレートは、実験を３０分間行った後のバクテリアのＣＦＵを示さなかった。図５Ａおよび図５Ｂ。写真中の円は、気泡であり、ＣＦＵではない。
【００７２】
＜試験１−全てのシステムをＯＦＦ状態にし、送風機のみを駆動して、バクテリアを室空気注入口に送り込んだ＞
全てのシステムをＯＦＦ状態にして（水をＯＦＦ状態にし、オゾン発生器をＯＦＦ状態にし、ＵＶをＯＦＦ状態にして）、バクテリアを室空気注入口に送り込むと、システム注入口およびシステム放出口の両方のプレートでは、ＣＦＵが多すぎて数えられない程に、バクテリアが成長した。図５Ｃおよび図５Ｄ。
【００７３】
＜試験２−水をＯＮ状態にし、ＵＶ・オゾンシステムをＯＦＦ状態にして、バクテリアを室空気注入口に送り込んだ＞
バクテリアを、水をＯＮ状態にし、オゾン発生器およびＵＶをＯＦＦ状態にして、室空気注入口に送り込んだ。システム注入口およびシステム放出口の両方のプレートでは、ＣＦＵが多すぎて数えられない程に、バクテリアが成長した。図５Ｅおよび図５Ｆ。
【００７４】
＜試験３−ＵＶ・オゾンシステムを活性化して（水、オゾン、および、ＵＶをＯＮ状態にして）、バクテリアを室空気注入口に送り込んだ＞
最後の実験では、ＵＶ・オゾンシステムを完全に活性化して（水、オゾン、および、ＵＶをＯＮ状態にして）、バクテリアを室空気注入口に送り込んだ。このシステム注入口のプレートでは、ＣＦＵが多すぎて数えられない程に、バクテリアが成長した。一方で、システム放出口のプレートには、ＣＦＵはまったく存在しなかった。このことは、中和システムに故意に送り込まれ、このシステムを通過した全てのバクテリアが、リアルタイムで中和されたことを示している。したがって、バクテリアは、定温器中の無菌の寒天培養基のプレート上の理想的な状態においてさえも成長できないことを示している。図５Ｇおよび図５Ｈ。
【００７５】
〔実施例３〕
実施例１に、いくつかの異なる条件を組み合わせた（sets of conditions）ＭＩＣＲＯ  ＭＩＳＴＴＭネブライザーを用いて記載したように、大量の栄養細胞である空気感染Bacillus globigii（１３Ｇ）胞子（炭疽胞子の類似物）を、中和システムの室空気注入口に送り込む。Bacillus globigii胞子の中和は特に困難であることが、知られている。全ての実験では、システム送風機が連続してＯＮ状態にある間の３０分間に、システムを介して空気が通過する。
【００７６】
＜コントロール−胞子を用いずに、全てのシステムをＯＦＦ状態にし、送風機のみをＯＮ状態にして、制御する＞
制御しているとき、全ての胞子を故意に送り込む前に、不活性の中和システムを介して部屋の空気を引き出す。水をＯＦＦ状態にし、オゾン発生器をＯＦＦ状態にし、ＵＶをＯＦＦ状態にする。流入する空気にさらされたシステム注入口のプレート、および、不活性の中和システムを介して通過した流出する空気にさらされたシステム放出口のプレートの両方が、反応室を空気が通過した３０分後に、バクテリアが成長しないことを示している。図６Ａおよび図６Ｂ。写真の円は、気泡であり、ＣＦＵではない。
【００７７】
＜試験１：全てのシステムをＯＦＦ状態にし、送風機のみをＯＮ状態にして、反応空気注入口に胞子を送り込んだ＞
全てのシステムをＯＦＦ状態にして（水、オゾン発生器、および、ＵＶをＯＦＦ状態にして）、反応空気注入口に胞子を送り込んだ。システム注入口およびシステム放出口の両方のプレートでは、ＣＦＵが多すぎて数えられない程に、バクテリアが成長した。図６Ｃおよび図６Ｄ。システム放出口のプレート中のいくつかのＣＦＵ（図６Ｄ）は、コロニーの凝集を示している。
【００７８】
＜試験２：水をＯＮ状態にし、送風機をＯＮ状態にして、反応空気注入口に胞子を送り込んだ＞
図６Ｅのシステム注入口、および、図６Ｆのシステム放出口では、反応室に霧（water mist）を供給している間に、胞子濃度を上げて流入する空気を故意に感染させた。このとき、オゾン発生器および中和システムの紫外線はＯＦＦ状態であった（水および送風機のみがＯＮ状態）。この結果は、注入口のプレートおよび放出口のプレートの両方では胞子が成長しすぎる、ということを示している。
【００７９】
＜試験３−活性化された完全なＵＶ・オゾンシステム（水、オゾン、ＵＶ、および、送風機がＯＮ状態である）を用いて反応室空気注入口に胞子を送り込む＞
完全に活性化されたＵＶ／オゾンシステム（水、オゾン、および、ＵＶがＯＮ状態である）を用いて反応室注入口に胞子を送り込んだ場合、システム注入口のプレートには、バクテリアが過剰に成長した。システム放出口のプレート（図６Ｈ）において観察された、１領域につき約１５ＣＦＵという著しく少ないコロニー形成ユニットと比べて、システム注入口のプレートでのバクテリアの数は、１領域につき約５００〜６００ＣＦＵであった（図６Ｇ）。故意に多数送り込まれ、リアルタイムで中和システムを通過する、Bacillus globigii胞子の病原体中和の範囲は、約１−２けた高い殺菌または中和を表している。
【００８０】
〔実施例４：
バクテリオファージＭＳ２ウイルス中和結果〕
多量の空気感染したバクテリオファージＭＳ２ウイルスを、いくつかの異なる条件の組み合わせて実施例１に記載したように、中和システムの室空気注入口に連続して送り込む。全ての実験時間は１０分間であり、空気は、システム送風機が連続してＯＮ状態にある間に、このシステムを通過している。
【００８１】
バクテリオファージＭＳ２ウイルスは寒天培養基の上では成長しないので、流入する汚染空気および流出する殺菌された空気中のウイルスのレベルを評価するために、間接測定法を提示する。ウイルスの試料を採取するために、流入および流出した空気を、水に通気し、実験の間に連続してバイオ試料採取器（biosampler）ＡＧＩ−３０を用いて採取した。バクテリオファージＭＳ２は、E. Coliを攻撃して、細胞を殺す細胞の溶解を引き起こす。バクテリオファージＭＳ２の量の評価を、流入した汚染空気および流出した殺菌された空気中で行う。殺菌した寒天培養基のプレートに、ＡＧＩ−３０管から集められた試料を、塗り（swabbed）、E. Coli宿主生物の懸濁液（suspension）によって覆う。
【００８２】
また、写真では細胞溶解の溶菌班を正確に数えることができなかったので、E. Coliの溶解をプレート上で視覚的に直接観察する必要がある。
【００８３】
＜試験１  コントロール−ＭＳ２を用いずに、全てのシステムをＯＦＦ状態にし、送風機のみをＯＮ状態にするというバックグラウンド（background）で、１０分間制御する＞
バクテリオファージＭＳ２のない部屋の空気を、ネブライザーを用いて室空気注入口に送り込み、全てのシステムをＯＦＦ状態にし、送風機のみをＯＮ状態にして、１０分間中和システムを通過させた。試料の部分試料（Aliquots）をとり、殺菌した寒天培養基のプレートに塗り、E. Coliの懸濁液で覆った後、２０時間の間セ氏３７度で培養した。
【００８４】
システム注入口およびシステム放出口の両方のプレートでは、一面に密集したE. Coliが成長する。これらのE. Coliは、細胞溶解による溶菌班形成の兆候を示さず、したがって、流入または流出する空気中にバクテリオファージがないことを示している。
【００８５】
＜試験２（ＭＳ２を用い、全てのシステムをＯＦＦ状態にする）＞
バクテリオファージＭＳ２を、噴霧剤として、中和システムをＯＦＦ状態にして（水、オゾン、および、ＵＶをＯＦＦ状態にして）、反応室に送り込んだ。
【００８６】
セ氏３７度で丁度４時間培養した後、システム注入口およびシステム放出口の両方のプレートには、両方のプレートにはっきりとした溶菌斑の形状で容易に分かる溶菌が、一面に密集したE. Coliに起こっていた。これらの結果は、ウイルスが試験反応室内での吸収または乾燥の影響のゆえに消滅しなかったことを、示している。
３７℃で２０時間、培養した後、以前は透明であった溶菌班は、耐性のある宿主細胞の成長のゆえに濁ってくる。しかし、ＭＳ２にさらされたプレートは、ＭＳ２にさらされなかったコントロールのプレートと比べて、細胞溶解の溶菌班に非常に汚染されている。
【００８７】
＜試験３（ＭＳ２を用い、全てのシステムをＯＮ状態にする）＞
完全に活性化された中和システムをＯＮ状態にして（水、オゾン、および、ＵＶをＯＮ状態にして）、中和システムに噴霧器によってバクテリオファージＭＳ２を送り込んだ。３７℃で２０時間培養した後の空気注入口、システム注入口のプレートには、密集した透明の溶菌班の形状で容易に目に見える細胞溶解が、一面に密集したE. Coli宿主生物に起こっていた。これらの溶菌班は、耐性のE. Coli宿主細胞の成長のゆえに濁りを帯びていた。しかし、溶菌班は、それでもなお識別可能であった。３７℃で２０時間培養した後の空気放出口、システム放出口のプレートは、細胞溶解の活性の兆候なく一面に密集したE. Coli宿主を有している。このことは、反応室を通る１００％のＭＳ２が、完全に使用できる本発明の中和システム（水、オゾン、および、ＵＶがＯＮ状態にある）を通過した後で不活性化または中和されたことを、示している。
【００８８】
この結果は、ＵＶの存在下でオゾンと水との反応から非常に活性の高い遊離基を生成する本発明の中和システムが、ＭＳ２バクテリオファージウイルスおよびErwinia herbicolaバクテリアの中和に１００％効果的であることを、示している。完全に効果的には、Bacillus globigii胞子（炭疽菌の類似物）を中和しないが、、本発明の中和システムは、約１−２けた殺菌又は中和に効果的であった。オゾンレベルの変化、水量、ＵＶの強さおよび／または中和システムの上流でのＨＥＰＡフィルターの使用によって、これらの結果は改善されるだろう。
【００８９】
上述した仕様では、本発明を、その特定の実施形態に関して記載した。しかし、様々な改良および変更を、本発明の広範な精神および範囲からそれずに行ってもよいことは明らかであろう。したがって、この仕様および図面を、制限的意味よりもむしろ例証的な意味で受け止める必要がある。
【図面の簡単な説明】
【００９０】
【図１】流入反応室１００の内部にオゾン発生器１０３を配置した、ＵＶ／オゾン病原体中和システムの１実施形態を示すブロック図である。
【図２】このシステムの外側にオゾン発生器２０３および貯水槽２０４を備えた、ＵＶ／オゾン病原体中和システムの１実施形態を示すブロック図である。
【図３】空気感染病原体を破壊する反応通路を示す図である。
【図４】密度６−８％、１０ＰＰＩ（４ａ）、２０ＰＰＩ（４ｂ）、および、４０ＰＰＩ（４ｃ）を有するＤＵＣＯＣＥＬＲ（登録商標）アルミニウム金属発泡剤の試料の写真を示している。
【図５Ａ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｂ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｃ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｄ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｅ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｆ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｇ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図５Ｈ】過剰に多い空気感染の栄養型のErwinia herbicolaバクテリアを中和するための中和システムの能力を試験するために設計された実験装置中の流入反応室を流入・流出する空気に触れた、プレートの写真を示している。矢印の地点で３０分間記録し始め、時計と反対方向に回転させる。
【図６Ａ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｂ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｃ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｄ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｅ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｆ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｇ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図６Ｈ】過剰に多い空気感染のBacillus globigii胞子を中和するための中和システムの能力を試験するために設計された実験装置中の流入反応室を流入・流出する空気に触れる、寒天培養基のプレートの写真を示している。矢印の地点で３０分間記録し始め、時計と反対方向に回転させる。
【図４】
2005503893.tif 000002
【図５Ａ】
2005503893.tif 000003
【図５Ｂ】
2005503893.tif 000004
【図５Ｃ】
2005503893.tif 000005
【図５Ｄ】
2005503893.tif 000006
【図５Ｅ】
2005503893.tif 000007
【図５Ｆ】
2005503893.tif 000008
【図５Ｇ】
2005503893.tif 000009
【図５Ｈ】
2005503893.tif 000010
【図６Ａ】
2005503893.tif 000011
【図６Ｂ】
2005503893.tif 000012
【図６Ｃ】
2005503893.tif 000013
【図６Ｄ】
2005503893.tif 000014
【図６Ｅ】
2005503893.tif 000015
【図６Ｆ】
2005503893.tif 000016
【図６Ｇ】
2005503893.tif 000017
【図６Ｈ】
2005503893.tif 000018
【図１】
2005503893.tif 000019
【図２】
2005503893.tif 000020
【図３】
2005503893.tif 000021
【国際公開パンフレット】
2005503893.tif 000022
2005503893.tif 000023
2005503893.tif 000024
2005503893.tif 000025
2005503893.tif 000026
2005503893.tif 000027
2005503893.tif 000028
2005503893.tif 000029
2005503893.tif 000030
2005503893.tif 000031
2005503893.tif 000032
2005503893.tif 000033
2005503893.tif 000034
2005503893.tif 000035
2005503893.tif 000036
2005503893.tif 000037
2005503893.tif 000038
2005503893.tif 000039
2005503893.tif 000040
2005503893.tif 000041
2005503893.tif 000042
2005503893.tif 000043
2005503893.tif 000044
2005503893.tif 000045
2005503893.tif 000046
2005503893.tif 000047
2005503893.tif 000048
2005503893.tif 000049
2005503893.tif 000050
2005503893.tif 000051
2005503893.tif 000052
2005503893.tif 000053
2005503893.tif 000054
2005503893.tif 000055
2005503893.tif 000056
2005503893.tif 000057
2005503893.tif 000058
2005503893.tif 000059
2005503893.tif 000060
2005503893.tif 000061
2005503893.tif 000062
2005503893.tif 000063
2005503893.tif 000064
2005503893.tif 000065
2005503893.tif 000066
2005503893.tif 000067
2005503893.tif 000068
【国際調査報告】
2005503893.tif 000069
2005503893.tif 000070
2005503893.tif 000071
2005503893.tif 000072
2005503893.tif 000073